(57)【要約】【課題】光書込型の表示媒体の状態に応じた初期化を行い得るようにする。【解決手段】本発明に係る制御装置は、媒体情報を読み出すことにより表示媒体の状態を判断し、初期化の態様を決定する。制御装置は、強リセット（電力を比較的多く消費する初期化）が行われてからの経過時間（ステップＳ５４）や、環境温度とその温度下にある時間（ステップＳ５７）などに基づいて、表示媒体の表示素子が通常状態と特性低下状態のいずれであるかを判断する。ここにおいて、特性低下状態とは、表示素子が所望の階調（色）になりにくい状態のことである。【選択図】図７
2010072567.tif 000002
【特許請求の範囲】
【請求項１】
光を照射する照射装置により照射された光に応じた表示を行う光書込型の表示媒体の状態を表す状態情報を取得する取得手段と、
前記取得手段により取得された状態情報に応じて、前記照射装置が前記表示媒体に行う初期化の態様を決定する決定手段と
を備えることを特徴とする制御装置。
【請求項２】
前記取得手段は、
前記表示媒体に最後に初期化が行われてからの経過時間を表す情報を前記状態情報として取得し、
前記決定手段は、
前記状態情報が表す経過時間がある値未満である場合に行う初期化を、前記経過時間が前記ある値以上である場合に行う初期化よりも少ない電力で行わせる
ことを特徴とする請求項１に記載の制御装置。
【請求項３】
前記取得手段が、
前記表示媒体が前記照射装置に装着され続けている期間を特定する特定手段と、
前記特定手段により特定された期間における前記照射装置の環境温度を表す温度情報を取得する温度取得手段とを備え、
前記温度取得手段により取得された温度情報を前記状態情報として用いる
ことを特徴とする請求項１又は２に記載の制御装置。
【請求項４】
前記表示媒体が表示する画質を表すモードとして、ある画質を表す第１のモード又は当該第１のモードより高い画質を表す第２のモードを選択する選択手段を備え、
前記決定手段は、
前記選択手段により前記第１のモードが選択された場合に行う初期化を、前記第２のモードが選択された場合に行う初期化よりも少ない電力で行わせる
ことを特徴とする請求項１ないし３のいずれかに記載の制御装置。
【請求項５】
前記取得手段は、
複数の前記照射装置に係る前記状態情報をそれぞれ取得し、
前記決定手段は、
前記取得手段により取得された複数の状態情報に基づいて、一の前記照射装置が前記表示媒体に行う初期化の態様を決定する
ことを特徴とする請求項１ないし４のいずれかに記載の制御装置。
【請求項６】
請求項１ないし５のいずれかに記載の制御装置と、
前記決定手段により決定された態様で前記表示媒体に初期化を行う初期化手段と、
前記初期化手段により初期化が行われた表示媒体に、記録する情報に応じた光を照射する照射手段と
を備えることを特徴とする記録装置。
【請求項７】
コンピュータを、
照射装置により照射された光に応じた表示を行う光書込型の表示媒体の状態を表す状態情報を取得する取得手段と、
前記取得手段により取得された状態情報に応じて、前記照射装置が前記表示媒体に行う初期化の態様を決定する決定手段
として機能させるためのプログラム。
【発明の詳細な説明】
【技術分野】
【０００１】
本発明は、制御装置、記録装置及びプログラムに関する。
【背景技術】
【０００２】
光書込型の表示媒体は、照射された光に応じた表示を行う表示素子（コレステリック液晶表示素子等）を有する表示媒体であり、電子ペーパ、リライタブルペーパなどと呼ばれる。光書込型の表示媒体には、表示媒体に初期化を行うものがある。ここにおいて、初期化とは、書き換え前の情報が書き換え後の表示に影響を与えにくいように光書込型の表示媒体の状態を変化させることをいう。
【０００３】
初期化の具体的な方法としては、情報を記録する前に電圧を印加するもの（例えば、特許文献１参照）や、補助光源によってあらかじめ白一色にしてから情報を記録するもの（例えば、特許文献２参照）がある。
【特許文献１】特開２００４−１１７８０９号公報
【特許文献２】特開２００７−３３６７８号公報
【発明の開示】
【発明が解決しようとする課題】
【０００４】
本発明の目的は、光書込型の表示媒体の状態に応じた初期化を行い得るようにすることにある。
【課題を解決するための手段】
【０００５】
本発明の請求項１に係る制御装置は、光を照射する照射装置により照射された光に応じた表示を行う光書込型の表示媒体の状態を表す状態情報を取得する取得手段と、前記取得手段により取得された状態情報に応じて、前記照射装置が前記表示媒体に行う初期化の態様を決定する決定手段とを備える構成を有する。
【０００６】
本発明の請求項２に係る制御装置は、請求項１の構成において、前記取得手段は、前記表示媒体に最後に初期化が行われてからの経過時間を表す情報を前記状態情報として取得し、前記決定手段は、前記状態情報が表す経過時間がある値未満である場合に行う初期化を、前記経過時間が前記ある値以上である場合に行う初期化よりも少ない電力で行わせる構成を有する。
本発明の請求項３に係る制御装置は、請求項１又は２の構成において、前記取得手段が、前記表示媒体が前記照射装置に装着され続けている期間を特定する特定手段と、前記特定手段により特定された期間における前記照射装置の環境温度を表す温度情報を取得する温度取得手段とを備え、前記温度取得手段により取得された温度情報を前記状態情報として用いる構成を有する。
本発明の請求項４に係る制御装置は、請求項１ないし３のいずれかの構成において、前記表示媒体が表示する画質を表すモードとして、ある画質を表す第１のモード又は当該第１のモードより高い画質を表す第２のモードを選択する選択手段を備え、前記決定手段は、前記選択手段により前記第１のモードが選択された場合に行う初期化を、前記第２のモードが選択された場合に行う初期化よりも少ない電力で行わせる構成を有する。
本発明の請求項５に係る制御装置は、請求項１ないし４のいずれかの構成において、前記取得手段は、複数の前記照射装置に係る前記状態情報をそれぞれ取得し、前記決定手段は、前記取得手段により取得された複数の状態情報に基づいて、一の前記照射装置が前記表示媒体に行う初期化の態様を決定する構成を有する。
【０００７】
本発明の請求項６に係る記録装置は、請求項１ないし５のいずれかに記載の制御装置と、前記決定手段により決定された態様で前記表示媒体に初期化を行う初期化手段と、前記初期化手段により初期化が行われた表示媒体に、記録する情報に応じた光を照射する照射手段とを備える構成を有する。
【０００８】
本発明の請求項７に係るプログラムは、コンピュータを、照射装置により照射された光に応じた表示を行う光書込型の表示媒体の状態を表す状態情報を取得する取得手段と、前記取得手段により取得された状態情報に応じて、前記照射装置が前記表示媒体に行う初期化の態様を決定する決定手段として機能させる構成を有する。
【発明の効果】
【０００９】
本発明の請求項１、６及び７の構成によれば、光書込型の表示媒体の状態に応じた態様の初期化を行うことができる。
本発明の請求項２の構成によれば、初期化が行われてからの経過時間が比較的少ない場合に、消費電力が少ない初期化を行うことができる。
本発明の請求項３の構成によれば、温度を検知する手段が表示媒体自体に備わっていない場合であっても、表示媒体の温度に応じた初期化の態様を決定することができる。
本発明の請求項４の構成によれば、高い画質が要求されない場合に行う初期化の消費電力を少なくすることができる。
本発明の請求項５の構成によれば、特定の照射装置以外の照射装置により取得された状態情報を併せ用いて初期化の態様を決定することができる。
【発明を実施するための最良の形態】
【００１０】
［実施形態］
図１は、本発明の一実施形態である記録装置の構成を示すブロック図である。同図に示す記録装置１０は、後述する光書込型の表示媒体２０に情報を記録するためのものである。記録装置１０は、情報を記録する場合に、記録する情報に応じた光を表示媒体２０に照射する。また、記録装置１０は、必要に応じて、表示媒体２０の初期化を行う。本実施形態における初期化は、表示媒体２０に光を照射することにより行われるが、情報を記録する場合とは光の照射の態様が異なる。なお、本実施形態の表示媒体２０は、後述する無線タグを備える。
【００１１】
制御部１１０は、ＣＰＵ（Central Processing Unit）等の演算装置やメモリを備え、あらかじめ記憶されたプログラムを実行することによって記録装置１０の各部の動作を制御する。また、制御部１１０は、計時部ＣＬＫを備える。計時部ＣＬＫは、例えばリアルタイムクロックを備え、ある時間を基準とした時間情報を供給する。時間情報とは、当該情報を供給する時点の日時を表すものであり、例えば、日付と時刻の情報を含む。記憶部１２０は、フラッシュメモリ等の書き換え可能な記録媒体を備え、記録装置１０の動作に必要な情報を記憶する。記憶部１２０が記憶する情報には、後述する温度情報の時間的変化を表す温度履歴情報が含まれる。
【００１２】
記録部１３０は、表示媒体２０に記録する情報に応じた記録信号を生成する信号生成回路や、表示媒体２０に光を照射する光源を備え、表示媒体２０に光を照射することによって情報を記録する。記録信号は、光の強弱に対応する信号である。なお、記録部１３０の光源は、表示媒体２０の表示領域の全面に相当する面積を有するものであってもよいが、表示媒体２０の表示領域の一部に相当する面積を有し、これを移動させることによって表示領域の全面に光を照射するものであってもよい。記録部１３０は、後者の構成の場合には、光源を移動させる移動手段を備える。本実施形態の記録部１３０は、この後者の構成であるとする。
【００１３】
初期化部１４０は、表示媒体２０に光を照射する光源を備え、表示媒体２０の初期化を行う。初期化部１４０は、制御部１１０が決定した態様に従って初期化を行う。初期化部１４０は、表示媒体２０の表示領域に照射する単位面積当たりの光の光量を変化させることにより、光の照射の態様を異ならせる。すなわち、初期化部１４０は、制御部１１０からの指示に応じて、単位面積当たりの光の照射時間を変化させたり、単位時間当たりの光の強度を変化させたりすることにより、照射する光量の制御を行う。初期化部１４０は、照射する光の光量が多くなるほど、消費する電力も多くなる。
本実施形態における初期化には、電力の消費が比較的多い初期化と、電力の消費が比較的少ない初期化とがある。以下においては、説明の便宜上、前者の初期化を「強リセット」といい、後者の初期化を「弱リセット」という。
【００１４】
電圧印加部１５０は、電圧を生じさせる電源と、表示媒体２０と電気的に接続する電極とを備え、記録装置１０が表示媒体２０に光を照射するときに電圧を印加する。すなわち、電圧印加部１５０は、記録部１３０が光を照射する場合と、初期化部１４０が光を照射する場合とに、表示媒体２０に電圧を印加する。なお、電圧印加部１５０が印加する電圧は、記録部１３０が光を照射する場合と初期化部１４０が光を照射する場合とで異なっていてよい。以下においては、記録部１３０の照射に応じて印加する電圧を「駆動電圧」といい、初期化部１４０の照射に応じて印加する電圧を「初期化電圧」という。
【００１５】
通信部１６０は、外部装置と通信する通信手段である。ここにおいて、外部装置とは、例えば、自装置と異なる記録装置や、ネットワークを介して接続されるサーバ装置である。通信部１６０は、外部装置と有線により通信を行ってもよいし、赤外線通信などによって外部装置と無線により通信を行ってもよい。なお、通信部１６０が外部装置と通信する態様は、後述する変形例において説明される。
【００１６】
タグ通信部１７０は、いわゆるリーダライタの機能を有し、記録装置１０に着脱される表示媒体２０の無線タグと無線通信を行う。タグ通信部１７０は、無線タグに記憶された識別情報を読み出して表示媒体２０を識別するとともに、無線タグに記憶された他の情報を読み出したり、あるいは書き込んだりする。
【００１７】
着脱検知部１８０は、表示媒体２０が記録装置１０に着脱されたことを検知するセンサを備え、表示媒体２０が記録装置１０に装着されたことと、その装着が解除されたこととを検知する。着脱検知部１８０が備えるセンサは、例えば、表示媒体２０の無線タグと無線通信を行い、その識別情報を読み出すものである。なお、着脱検知部１８０のセンサは、表示媒体２０が装着されると押し込まれるなどして、その位置を変化させる部材の変位を検知するものであってもよい。また、着脱検知部１８０のセンサは、開閉する蓋を記録装置１０が備え、この蓋の開閉をもって表示媒体２０の着脱が行われる場合には、蓋の開閉を検知するものであってもよい。着脱検知部１８０は、検知結果を制御部１１０に供給し、制御部１１０は、これを後述する着脱履歴情報に反映させる。
【００１８】
温度検知部１９０は、記録装置１０の環境温度を検知する温度センサを備え、検知した環境温度を表す温度情報を制御部１１０に供給する。制御部１１０は、この温度情報を温度履歴情報として記憶部１２０に記憶させる。この温度情報は、本発明における状態情報の一例である。ここにおいて、環境温度とは、記録装置１０の近傍であればいかなる場所の温度をいうものであってもよいが、その場所は、表示媒体２０が設置される場所に近いか、あるいは表示媒体２０の温度に近似する温度の場所であると、望ましい。例えば、温度センサは、表示媒体２０に接触し、表示媒体２０の温度を検知するものであってもよい。
【００１９】
操作部１００は、キーやスイッチ等の操作子を備え、使用者による操作を受け付ける。操作部１００は、使用者による操作を受け付けると、操作を表す操作情報を生成して制御部１１０に供給する。なお、操作部１００は、後述する画質モードを使用者が選択する場合に用いられる。
【００２０】
図２は、表示媒体２０の外観及び構成を示す図である。表示媒体２０は、表示部２１０と、導通部２２０と、無線タグ部２３０とを備える。表示部２１０は、照射された光に応じた表示を行う表示素子を備え、表示領域を構成する。なお、本実施形態においては、表示素子としてコレステリック液晶表示素子を用いる。導通部２２０は、記録装置１０の電圧印加部１５０と電気的に接続され、表示部２１０と電気的に接続される電極を備え、表示部２１０に電圧を印加する。無線タグ部２３０は、無線タグやアンテナを備え、記録装置１０と無線通信を行う。無線タグ部２３０が備える無線タグは、ＣＰＵやＥＥＰＲＯＭ（Electrically Erasable and Programmable Read-Only Memory）を内蔵しており、記録装置１０のタグ通信部１７０が発生させている電磁波から抽出した電力を用いて動作する。よって、表示媒体２０は、電源を備える必要がない。
【００２１】
図３は、表示部２１０の構成を示す図であり、表示部２１０を切断した場合の断面を示す断面図である。同図に示すように、表示部２１０は、フィルム基板２１１及び２１７と、透明電極２１２及び２１６と、光導電層２１３と、着色層２１４と、表示素子層２１５とを有する。なお、本実施形態の光書込型表示体は、モノクロ表示を行う表示体である。フィルム基板２１１及び２１７は、表示媒体２０の表面を保護するために設けられた層であり、例えば、ＰＥＴ（Polyethylene Terephthalate）により形成される。フィルム基板２１１は、光が照射される側の面にあり、フィルム基板２１７は、記録された情報を使用者が観察する側の面にある。透明電極２１２及び２１６は、導通部２２０と電気的に接続される電極であり、例えば、ＩＴＯ（Indium Tin Oxide）により形成される層である。透明電極２１２及び２１６は、電圧が印加されると、各々の間に電位差が生じる。光導電層２１３は、照射される光の光量に応じてその導電率を異ならせる導電体（すなわち光導電体）により形成される層である。光導電層２１３としては、例えば、有機光導電体が用いられる。
【００２２】
着色層２１４は、表示素子層２１５が光を透過する場合に観察される層であり、あらかじめ決められた色（本実施形態においては、黒）になされている。表示素子層２１５は、印加される電圧に応じて光の反射状態を異ならせる表示素子を含む層である。本実施形態の表示素子層２１５は、バインダー樹脂中にマイクロカプセル状のコレステリック液晶表示素子を分散させたものである。コレステリック液晶表示素子は、配向状態として、プレーナ配向状態とフォーカルコニック配向状態とになり得る。コレステリック液晶表示素子は、プレーナ配向状態にある場合には、光を反射（ブラッグ反射）してあらかじめ決められた色（本実施形態においては、白）を呈し、フォーカルコニック配向状態にある場合には、光を透過して着色層２１４の色を呈する。コレステリック液晶表示素子がいかなる配向状態となるかは、コレステリック液晶表示素子に生じる電位差によって決まる。コレステリック液晶表示素子に生じる電位差は、対向する光導電層２１３の導電率に応じて変化する。
【００２３】
図４は、無線タグ部２３０に記憶される情報を示す図である。以下においては、これらの情報を総称する場合には、「媒体情報」という。無線タグ部２３０に記憶される媒体情報には、「識別情報」、「初期化履歴情報」、「着脱履歴情報」及び「要否フラグ」が含まれる。識別情報は、表示媒体２０を識別する情報であり、例えば、表示媒体２０に一意的に割り当てられた文字列である。また、識別情報は、表示媒体２０毎にあらかじめ書き込まれており、書き換えられない情報である。一方、初期化履歴情報、着脱履歴情報及び初期化要否フラグは、識別情報と異なり、記録装置１０が必要に応じて書き換えるものである。これらの情報は、表示媒体２０の状態（表示媒体２０がおかれていた状況や、その時間変化など）を表す情報である。
【００２４】
初期化履歴情報は、表示媒体２０に過去に初期化が行われたか否かを表す情報であり、過去に初期化が行われている場合には、その初期化の日時が記述される。また、初期化履歴情報は、行われた初期化の態様を表す情報を含んでいると、より望ましい。本実施形態でいえば、初期化履歴情報は、行われた初期化が強リセットであるか弱リセットであるかを表す情報を含むとよい。着脱履歴情報は、表示媒体２０が着脱された日時を表す情報である。すなわち、着脱履歴情報は、表示媒体２０が記録装置１０に装着された日時と、表示媒体２０が記録装置１０に装着された状態が解除された日時とを表す。要否フラグは、初期化として特に強リセットを行う必要があるか否かを示す情報であり、本実施形態においては、「１（要）」又は「０（否）」のいずれかの値を示すものである。要否フラグは、ある条件を満たした場合に書き換えられるものである。なお、要否フラグは、強リセットの要否を示す一指標であり、これのみによって強リセットの要否が判断されるわけではない。よって、例えば、要否フラグが「０」であっても、強リセットを行う場合がある。
【００２５】
なお、表示媒体２０を複数用いない場合には、装着された表示媒体２０が識別情報によらずに特定可能である。よって、このような場合には、媒体情報から識別情報を除いてよい。この場合、制御部１１０は、装着された表示媒体２０をすべて同一のものであるとみなす。
【００２６】
本実施形態の記録装置１０及び表示媒体２０の構成は、以上のとおりである。かかる構成のもと、使用者は、表示媒体２０に情報を記録しようとする場合に、表示媒体２０を記録装置１０に装着させる。記録装置１０は、装着された表示媒体２０から媒体情報を読み出し、情報を記録する前に行う初期化の態様を媒体情報に基づいて決定する。
【００２７】
図５は、記録装置１０の制御部１１０が実現する機能を示す機能ブロック図である。同図に示すように、制御部１１０は、取得部１１１及び決定部１１２に相当する機能を実現する。取得部１１１は、記憶部１２０や無線タグ部２３０に記憶された情報に基づいて、状態情報、すなわち表示媒体２０の状態を表す情報を取得する機能を有する。決定部１１２は、取得部１１１により取得された状態情報に応じて、表示媒体２０に行う初期化の態様を決定する。
【００２８】
なお、本実施形態の記録装置１０は、いずれかの画質モードを選択し、選択した画像モードに従って動作する。本実施形態の画質モードには、「低画質モード」と「高画質モード」とが含まれる。低画質モードは、表示媒体２０に表示される情報の画質が高くなくてもよい場合に選択される画質モードであり、高画質モードは、表示媒体２０に表示される情報の画質を高くする場合に選択されるモードである。記録装置１０の制御部１１０は、操作部１００から取得した操作情報に応じて画質モードを選択する。
【００２９】
図６は、記録装置１０が情報を記録する場合の動作を示すフローチャートである。同図に示すように、記録装置１０の制御部１１０は、まず、選択する画質モードを判断する（ステップＳ１）。このとき、制御部１１０は、使用者の操作が「低画質モード」又は「高画質モード」のいずれに相当するかを判断して画質モードを選択し、以降の処理を決定する。
【００３０】
低画質モードを選択した場合、制御部１１０は、初期化として弱リセットを行う（ステップＳ２）。また、制御部１１０は、記録部１３０の移動手段による光源の移動速度を高画質モードの場合よりも高速に設定し（ステップＳ３）、電圧印加部１５０による駆動電圧を高画質モードの場合よりも低電圧に設定する（ステップＳ４）。
【００３１】
一方、高画質モードを選択した場合、制御部１１０は、表示媒体２０の状態を判断する処理（以下「状態判断処理」という。）を実行する（ステップＳ５）。状態判断処理は、表示媒体２０に記憶された媒体情報に基づいて行われる。ここにおいて、制御部１１０は、表示媒体２０の表示部２１０の状態が「通常状態」であるか「特性低下状態」であるかを判断する。特性低下状態とは、表示部２１０の表示特性が低下し、強リセットを必要とする状態をいうものである。特性低下状態は、例えば、コレステリック液晶表示素子がプレーナ配向状態ともフォーカルコニック配向状態とも異なる安定状態（準安定状態）になる割合が比較的高くなる状態である。
【００３２】
図７は、状態判断処理を示すフローチャートである。本処理において、まず、制御部１１０は、表示媒体２０に記憶された媒体情報を読み出す（ステップＳ５１）。続いて、制御部１１０は、読み出した媒体情報のうちの要否フラグを参照し、その値が「１」又は「０」のいずれであるかを判断する（ステップＳ５２）。制御部１１０は、要否フラグの値が「１」である場合には、表示媒体２０を特性低下状態であると判断する（ステップＳ５８）。この場合、要否フラグは、本発明における状態情報の一例に相当する。
【００３３】
また、要否フラグの値が「０」である場合、制御部１１０は、読み出した媒体情報のうちの初期化履歴情報を参照し、装着された表示媒体２０に対して最後に強リセットが行われた日時を特定する（ステップＳ５３）。制御部１１０は、この日時を計時部ＣＬＫが表す日時（現在日時）と比較し、この表示媒体２０に対して最後に強リセットが行われてから経過した時間（経過時間）を算出して取得する。制御部１１０は、この経過時間があらかじめ決められた閾値（例えば、１時間）以上であるか否かを判断し（ステップＳ５４）、閾値未満であれば、表示媒体２０を通常状態であると判断する（ステップＳ５９）。この経過時間は、本発明における状態情報の一例である。
【００３４】
経過時間が閾値以上である場合、制御部１１０は、媒体情報のうちの着脱履歴情報を参照し、装着された表示媒体２０が最後に強リセットが行われてから現在日時までに取り出されたことがあるか否かを判断する（ステップＳ５５）。ここで、表示媒体２０が最後の強リセット後に取り出されたこと（すなわち装着された状態を解除されたこと）がある場合、制御部１１０は、表示媒体２０を特性低下状態であると判断する（ステップＳ５８）。かかる場合を特性低下状態であるとするのは、取り出された後の表示媒体２０がどのような環境下にあったかを判別できず、表示特性が低下する環境におかれていた可能性があるからである。
【００３５】
装着された表示媒体２０が最後の強リセット後に取り出されていない場合、すなわち、装着された表示媒体２０が最後の強リセット後に装着され続けている場合、制御部１１０は、表示媒体２０が記録装置１０に装着されていた期間（装着期間）を特定し、装着期間の温度情報を記憶部１２０の温度履歴情報から取得する（ステップＳ５６）。すなわち、このとき制御部１１０は、表示媒体２０が装着されていた期間の記録装置１０の環境温度を特定する。制御部１１０は、装着期間において、ある温度以上の状態がある時間以上生じているか否かを判断し（ステップＳ５７）、この条件を満たす場合には、表示媒体２０を特性低下状態であると判断する（ステップＳ５８）。一方、制御部１１０は、この条件を満たさない場合には、表示媒体２０を通常状態であると判断する（ステップＳ５９）。
【００３６】
なお、ここにおける条件を規定する温度と時間の値は、あらかじめ決められているが、複数の組み合わせを有していてもよい。一般に、コレステリック液晶表示素子においては、より高温であれば、より短時間で特性低下状態になりやすいことが知られている。すなわち、コレステリック液晶表示素子は、高温環境下におかれていた場合と、低温環境下におかれていた場合とで、特性低下状態になるまでの時間が異なる（図９及びその説明参照）。よって、装着期間の閾値は、例えば、環境温度が７０℃であれば１時間、環境温度が４５℃であれば１０時間、といった具合に、環境温度に応じて決めてよいものである。
【００３７】
制御部１１０は、状態判断処理を終了すると、この状態判断処理における判断結果を用いて、図６のフローチャートに示す処理を引き続き実行する。すなわち、制御部１１０は、特性低下状態であるか否かを判断し（ステップＳ６）、特性低下状態であれば、初期化として強リセットを行い（ステップＳ７）、通常状態であれば、初期化として弱リセットを行う（ステップＳ８）。そして、制御部１１０は、いずれかの初期化が終了したら、記録部１３０の移動手段による光源の移動速度を低画質モードの場合よりも低速に設定し（ステップＳ９）、電圧印加部１５０による駆動電圧を低画質モードの場合よりも高電圧に設定する（ステップＳ１０）。
【００３８】
制御部１１０は、ステップＳ３及びＳ４又はステップＳ９及びＳ１０の設定を終えると、この設定に従って表示媒体２０に情報を記録する（ステップＳ１１）。すなわち、制御部１１０は、画質モードに応じて光源の移動速度及び駆動電圧を異ならせ、また、表示媒体２０の状態及び画質モードに応じて初期化の態様を異ならせる。その後、制御部１１０は、表示媒体２０の媒体情報を書き換え（ステップＳ１２）、本処理を終了する。
【００３９】
ステップＳ１２において、制御部１１０は、媒体情報のうち、本処理を実行した結果更新する必要が生じたものを書き換える。具体的には、制御部１１０は、ステップＳ２、Ｓ７又はＳ８の実行結果に応じて、初期化履歴情報を書き換える。また、制御部１１０は、ステップＳ７の強リセットが実行された場合には、要否フラグの値を「０」に書き換える。なお、制御部１１０は、要否フラグの値が書き換え前から「０」である場合には、そのまま変更しないでよい。
【００４０】
また、制御部１１０は、本処理とは独立に、適当なタイミングで要否フラグを「０」から「１」に書き換える。要否フラグは、強リセットを行う必要があると判断される条件を満たした場合に「１」となる。要否フラグが「１」になる条件は、例えば、ある環境温度について閾値を設定するとともに、表示媒体２０が装着されている状態で環境温度がその閾値を超えた時間を表示媒体２０毎に積算し、積算した時間があらかじめ決められた閾値を超えたときであってもよい。また、要否フラグが「１」になる条件は、表示媒体２０の表示特性を示す単位時間当たりの指数値を環境温度毎に設定するとともに、表示媒体２０が装着されている状態における指数値を表示媒体２０毎に積算し、積算した指数値の合計があらかじめ決められた閾値を超えたときであってもよい。
【００４１】
以上のとおり、本実施形態の記録装置１０は、時間又は環境温度と相関を有する情報を取得することにより、表示媒体２０の状態を判断する。表示媒体２０の状態（表示部２１０の状態）は、その外観で判断することは困難であるが、時間又は環境温度と相関を有する情報を用いれば、通常状態か特性低下状態かを判断できる場合がある。よって、この記録装置１０によれば、表示媒体２０の状態が通常状態か特性低下状態かを判断できる場合に、それぞれの状態に応じた態様の初期化を行うことにより、電力を必要以上に消費することが抑制され得る。なぜならば、特性低下状態に応じた初期化（すなわち強リセット）は、通常状態に応じた初期化（すなわち弱リセット）に比べ、より多くの電力を消費するからである。
【００４２】
図８は、環境温度に応じた表示媒体２０の表示特性を示す図である。同図において、横軸は、表示媒体２０を放置した環境温度であり、縦軸は、ある決められた駆動条件により表示媒体２０を初期化した場合の表示部２１０の反射率である。同図に示すように、表示媒体２０は、高温環境に放置された場合には、より低温で放置された場合と同等の駆動条件で駆動しても、低温で放置された場合と同じ反射率にならない。つまり、表示媒体２０は、高温で放置されると、初期化によって情報を消去しようとしても消去しきれない場合がある。
【００４３】
図９は、初期化後の表示部２１０の反射率の時間変化を環境温度毎に示す図である。同図において、横軸は、初期化後に放置された表示媒体２０の経過時間であり、縦軸は、その表示媒体２０の表示部２１０の反射率である。なお、反射率は、初期化直後の値を「１」として正規化したものである。同図に示すように、表示部２１０の反射率は、時間の経過に応じて低下し、ある値に収束するようになる。また、表示部２１０の反射率は、環境温度が高いほど低下し、収束する値も小さくなるが、室温（２５℃）環境においてはほとんど低下しない。本実施形態における特性低下状態は、表示部２１０の反射率がある閾値以下になる状態であるが、その閾値は特に問わない。ただし、表示部２１０の反射率がある閾値以下になる時間は、図９から明らかなように、環境温度に応じて変化する。
【００４４】
図１０は、図８に示す放置後の反射率（横軸）と、情報を消去したとみなせる反射率にするのに必要な光量（縦軸）との関係を示す図である。この図が示すことは、高温環境に放置された場合（反射率がより多く低下した場合）には、より高光量で情報を消去しなければ、低温環境に放置された場合と同等の反射率を得ることができないということである。よって、あらゆる環境で使用された表示媒体２０において確実に情報を消去したければ、なるべく高い光量で光を照射する初期化を行う必要がある。本実施形態においては、表示媒体２０が記録装置１０から取り出されている場合（ステップＳ５５の判断においてＹＥＳとなる場合）には、いかなる環境で使用されたかを特定することができないため、高光量での初期化、すなわち強リセットを行い、いかなる環境で使用されていたとしても情報が確実に消去されるようにしている。
【００４５】
また、本実施形態の記録装置１０は、画質を表すモードとして高画質モードと低画質モードとを有し、低画質モードが選択された場合には、表示媒体２０の状態を問わず、常に弱リセットを行う。一般に、低画質モードが選択される場合というのは、情報の視認ができれば十分であり、いわゆる残像（書き換え前の情報が残存すること）が生じても支障がないような場合である。本実施形態の記録装置１０は、かかる場合には弱リセットを行うようにすることで、強リセットを行う場合よりも電力の消費を少なくし、また、上述した状態判断処理を行う場合よりも情報を記録するまでに要する時間を少なくしている。
さらに、本実施形態の記録装置１０によれば、画質モードに応じて駆動電圧が異なるため、低画質モードが選択された場合に、初期化に要する電力に加え、情報の記録に要する電力も減少する。
【００４６】
［変形例］
上述した実施形態は、本発明の一例である。本発明は、例えば、以下の変形例を適用可能である。なお、上述した実施形態及び以下の変形例は、必要に応じて、これらを組み合わせて適用してもよい。
【００４７】
（１）変形例１
本発明は、複数の表示媒体２０を用い、又は、複数の記録装置１０を用いて実施してもよい。複数の表示媒体２０を用いる場合、記録装置１０は、各々の表示媒体２０毎に状態を判断すればよい。また、複数の記録装置１０を用いる場合、記録装置１０は、他の記録装置１０に装着された表示媒体２０に関する情報を取得できる構成であると、より望ましい。
【００４８】
図１１は、複数の記録装置１０を用いるシステムの構成を例示するブロック図である。同図において、記録装置１０は、サーバ装置３０と通信を行うように構成されている。サーバ装置３０は、各々の記録装置１０に必要な情報を送受信するコンピュータ装置である。なお、この場合において、表示媒体２０が装着されていた期間の記録装置１０の温度情報は、装着された表示媒体２０の識別情報と対応付けて記憶部１２０に記憶される。あるいは、温度情報と識別情報の組は、各々の記録装置１０に個別に記憶されるのではなく、サーバ装置３０が備える記憶手段に一括して記憶されてもよい。
【００４９】
記録装置１０の制御部１１０は、この構成においては、上述したステップＳ５６の処理において自装置における温度情報を取得し、さらに、同一の表示媒体２０について、他の記録装置１０に装着されることで記憶された温度情報がある場合には、他の記録装置１０に係る温度情報を取得し、当該温度情報もステップＳ５７の判断に用いる。すなわち、制御部１１０は、自装置に係る温度情報と、他の記録装置１０に係る温度情報とに基づいて、
自装置において行う初期化の態様を決定する。
【００５０】
（２）変形例２
上述した実施形態において表示媒体２０の無線タグ部２３０に記憶されていた媒体情報の一部は、これを記録装置１０の記憶部１２０に記憶させてもよい。つまり、制御部１１０は、かかる媒体情報を、タグ通信部１７０を介して表示媒体２０から取得してもよいし、自装置の記憶部１２０から取得してもよい。また、制御部１１０は、上述した変形例１の場合には、通信部１６０を介して媒体情報を取得してもよい。なお、媒体情報は、無線タグ部２３０以外の記憶手段に記憶される場合には、表示媒体２０の識別情報と対応付けられた状態で記憶される。
【００５１】
本例の場合、無線タグ部２３０は、識別情報を供給する手段として機能し、媒体情報を供給する手段として機能しない。よって、このような場合には、識別情報を供給する手段は、無線タグ部２３０に代えてバーコードや２次元コード等のコード情報としてもよい。コード情報を識別情報を供給する手段として用いる場合には、記録装置１０は、タグ通信部１７０に代えて、表示媒体２０に設けられたコード情報を光学的に読み取る手段を備える。
【００５２】
（３）変形例３
本発明において、通常状態における初期化は、特性低下状態における初期化に比べて電力消費がより少ないものである。ここにおいて、電力消費が「より少ない」とは、電力消費がない場合を含み得るものである。よって、上述した実施形態でいうところの「弱リセット」は、初期化を行わないという処理に置き換えてもよい。すなわち、本発明は、通常状態においては、初期化を省略してもよいということである。
【００５３】
（４）変形例４
上述した実施形態は、複数の状態情報を用いて表示媒体２０の状態を判断するものである。本発明は、上述した実施形態の処理に代えて、その一部の状態情報を用いない処理を実行してもよい。例えば、上述した状態判断処理は、要否フラグの判断（ステップＳ５２）を省略してもよい。
【００５４】
（５）変形例５
本発明は、表示媒体２０の環境温度を記録装置１０の温度検知部１９０により特定する構成に代えて、表示媒体２０に温度センサを設け、表示媒体２０の環境温度を表示媒体２０自体に記憶させる構成を採用してもよい。なお、前者の構成の場合には、表示媒体２０に電源（電池等）を設けないでもよいが、後者の構成の場合には、表示媒体２０に電源を設ける必要がある。
【００５５】
（６）変形例６
本発明において、初期化を行う初期化手段と、記録する情報に応じた光を照射する照射手段とは、共通の光源によって光を照射してもよい。例えば、上述した実施形態において、記録部１３０は、初期化部１４０と光源を共通にする構成であってもよい。
【００５６】
（７）変形例７
上述した実施形態の制御部１１０は、本発明に係る制御装置に相当するものである。この制御部１１０に相当する機能は、記録装置１０に接続された外部装置が実現してもよい。また、制御部１１０の機能は、あらかじめ記憶されたプログラムを実行することにより実現され得るものである。よって、本発明は、コンピュータを本発明に係る制御装置として機能させるプログラムとしても特定され得る。なお、かかるプログラムは、光ディスク等の記録媒体に記憶させた形態で提供されてもよいし、サーバ装置等の外部装置からダウンロードする形態で提供されてもよい。
【図面の簡単な説明】
【００５７】
【図１】記録装置の構成を示すブロック図
【図２】表示媒体の外観及び構成を示す図
【図３】表示部の構成を示す断面図
【図４】無線タグ部に記憶される情報を示す図
【図５】記録装置の制御部が実現する機能を示す機能ブロック図
【図６】記録装置が情報を記録する場合の動作を示すフローチャート
【図７】状態判断処理を示すフローチャート
【図８】環境温度に応じた表示媒体の表示特性を示す図
【図９】初期化後の表示部の反射率の時間変化を環境温度毎に示す図
【図１０】放置後の反射率と情報を消去したとみなせる反射率にするのに必要な光量との関係を示す図
【図１１】複数の記録装置を用いるシステムの構成を例示するブロック図
【符号の説明】
【００５８】
１０…記録装置、１１０…制御部、１２０…記憶部、１３０…記録部、１４０…初期化部、１５０…電圧印加部、１６０…通信部、１７０…タグ通信部、１８０…着脱検知部、１９０…温度検知部、１００…操作部、２０…表示媒体、２１０…表示部、２２０…導通部、２３０…無線タグ部
【図１】
2010072567.tif 000003
【図２】
2010072567.tif 000004
【図３】
2010072567.tif 000005
【図４】
2010072567.tif 000006
【図５】
2010072567.tif 000007
【図６】
2010072567.tif 000008
【図７】
2010072567.tif 000009
【図８】
2010072567.tif 000010
【図９】
2010072567.tif 000011
【図１０】
2010072567.tif 000012
【図１１】
2010072567.tif 000013